(57)【要約】【課題】異機種の給湯機本体とリモートコントローラとを接続する信号線を切断することなく、遠隔操作を可能にする給湯機用中継装置およびこれを備えた給湯機を得ること。【解決手段】製品仕様の異なる給湯機本体１０と台所リモートコントローラ３０とを結ぶリモコン通信ケーブル４０に対し、中継装置２０が並列接続され、給湯機本体１０から台所リモートコントローラ３０へ制御通信信号が送信される。台所リモートコントローラ３０は、制御通信信号の製品仕様が異なるため無視する。中継装置２０の中継装置制御部２１では、台所リモートコントローラ用信号変換部２３を使い、通信相手に合った製品仕様コードに置き換え、送受信部２２を介してリモコン通信ケーブル４０に送出する。台所リモートコントローラ３０では、信号の製品仕様が一致するため、制御通信信号を受け付けて命令コードを実行する。これにより、製品仕様の異なる機器間での通信が可能となる。【選択図】図１
2010271012.tif 000002
【特許請求の範囲】
【請求項１】
製品仕様の異なる給湯機本体とこれを遠隔操作するリモートコントローラとの間でやり取りされる制御通信信号を中継する給湯機用中継装置であって、
前記給湯機本体と前記リモートコントローラとを結ぶ信号線に並列接続され、前記給湯機本体と前記リモートコントローラとの間でやり取りされる制御通信信号の送受信を行う信号送受信手段と、
受信した制御通信信号を通信相手の製品仕様に対応した信号に変換する信号変換手段と、
前記給湯機本体と前記リモートコントローラとの間でやり取りされる制御通信信号を信号変換する必要があるか否かを判断し、信号変換する必要がある場合は、前記信号変換手段で信号変換を行い、前記送受信手段から信号変換後の制御通信信号を前記信号線に送出する制御手段と、
を備えることを特徴とする給湯機用中継装置。
【請求項２】
前記信号変換手段は、制御通信信号の通信相手毎に設けられ、受信した制御通信信号を通信相手の製品仕様に対応した制御通信信号に変換することを特徴とする請求項１に記載の給湯機用中継装置。
【請求項３】
制御通信信号の通信相手毎に設けられた前記信号変換手段は、中継する給湯機に応じて個別に差し替え可能としたことを特徴とする請求項２に記載の給湯機用中継装置。
【請求項４】
前記制御通信信号は、通信相手を示す相手属性コードと、信号送信元の製品仕様を示す製品仕様コードと、制御内容を示す命令コードとを少なくとも含み、
前記信号変換手段は、受信した制御通信信号の製品仕様コードを通信相手の製品仕様に対応した製品コードに変換することを特徴とする請求項１〜３のいずれか１つに記載の給湯機用中継装置。
【請求項５】
前記リモートコントローラは、前記給湯機本体に対して複数個接続され、
前記信号送受信手段は、前記各リモートコントローラと前記給湯機とを結ぶ信号線に対して並列接続されていることを特徴とする請求項１〜４のいずれか１つに記載の給湯機用中継装置。
【請求項６】
製品仕様の異なる給湯機本体とこれを遠隔操作するリモートコントローラとを結ぶ信号線に給湯機用中継装置が並列接続され、前記給湯機本体と、前記リモートコントローラと、その間でやり取りされる制御通信信号を中継する給湯機用中継装置とを備えた給湯機であって、
前記信号線に並列接続される給湯機用中継装置は、請求項１〜５のいずれか１つに記載の給湯機用中継装置であることを特徴とする給湯機。
【発明の詳細な説明】
【技術分野】
【０００１】
本発明は、給湯機用中継装置およびこれを備えた給湯機に関し、特に異機種の給湯機本体とリモートコントローラとを中継する給湯機用中継装置およびこれを備えた給湯機に関する。
【背景技術】
【０００２】
今日では、給湯機を浴室や台所から遠隔操作できるように、給湯機本体とリモートコントローラ（以下、リモコンともいう）とを信号線を介して接続することが一般的に行われている。しかし、経年変化等によりリモートコントローラを交換する必要が生じたり、過年度品本体にリモートコントローラを追加設置したりする場合は、過年度品と同じ命令コードが使われている同じ製品仕様のリモートコントローラを用意しなくてはならなかった。
【０００３】
しかし、製造後、一定の期間が過ぎると、同じ製品仕様のものが入手できなくなることがある。そこで、過年度品の給湯機本体に、入手しやすい生産中のリモートコントローラを接続する場合は、給湯機本体とリモートコントローラとの間に、互換性を生じさせる信号変換手段を介在させることにより、製品仕様が一致しない場合でも接続を可能にするものがあった。
【０００４】
例えば、リモコンによって遠隔操作する燃焼機器において、機器本体とリモコンの機種が異なっている場合は、機器本体とリモコンとの間のリモコン線を切断し、その間に信号変換手段を挿入することにより、通信を全てその信号変換手段を通して行うようにした燃焼機器が開示されている（例えば、特許文献１参照）。
【０００５】
また、入浴者の動作の有無から入浴者の異常を検知して異常報知を行う浴室監視システムにおいて、給湯機と浴室監視ユニットとの間に通信変換ユニットが配置され、通信仕様の異なる浴室監視ユニットと、給湯機や浴室リモコン間を通信可能にする浴室監視システムが開示されている（例えば、特許文献２参照）。
【０００６】
さらに、複数の機器機能を記憶したリモコンを用いた主制御装置とリモコンとの伝送方式において、リモコンには異なる複数の機器に使用できるよう、あらかじめ記憶部に全ての機能を記憶させておき、主制御装置が自らの仕様に必要な機能をリモコンに選択させるため、信号伝送線を介して機能選択信号を含んだ情報を送受信回路から送信する。そして、リモコン側でこれを受信すると、その機能選択信号を判断部で判定し、主制御装置に必要な機能を選択することにより、仕様の異なる機器であっても共通に使用できるリモコンを提供することが可能な主制御装置とリモコンとの伝送方式が開示されている（例えば、特許文献３参照）。
【０００７】
また、給湯器本体から接続されているリモコンへ給湯器機能情報およびリモコン機能情報を渡すリモコン給湯器において、リモコンにて情報を参照し、必要な処理を選択することによって、１種類のリモコンで全ての機種、リモコン種に対応可能なリモコン給湯器が開示されている（例えば、特許文献４参照）。
【先行技術文献】
【特許文献】
【０００８】
【特許文献１】特開２００８−３２２３９７号公報
【特許文献２】特開２００４−１０２９８０号公報
【特許文献３】特開平５−１８３９６７号公報
【特許文献４】特開平１０−１０８２７３号公報
【発明の概要】
【発明が解決しようとする課題】
【０００９】
しかしながら、上記特許文献１および２にあっては、異機種のリモコンに交換する場合、給湯機本体と各リモコン間を接続するリモコン線を切断し、その間に信号変換手段を備えた中継装置を直列接続（シリアル接続）する必要があるため、例えば、浴室用リモコンと台所用リモコンの両方に対応させようとすると、当該中継装置の接続設置場所が制限されてしまい、工事に制約が発生することから、不便であるという問題があった。
【００１０】
また、上記特許文献３にあっては、使用するリモコンが複数の異なる機器に対して使用可能なように、記憶部に種々の機器機能を予め記憶させておいて、接続する主制御装置の仕様に合った機能をリモコン側で選択することが可能なため、様々な主制御装置にリモコンを対応させることができる。しかしながら、使用する可能性の少ない機器機能についても記憶部に予め記憶させておく必要があるため、記憶部の容量を大きくする必要があるが、無駄になる部分も多く、リモコン製造時になかった機器には対応することができないという問題があった。
【００１１】
また、上記特許文献４にあっては、給湯器本体から接続されているリモコンへ給湯器機能情報およびリモコン機能情報を渡すと、リモコンが受け取った情報を参照して、必要な処理を選択することにより、１種類のリモコンで全ての機種、リモコン種に対応が可能となる。しかしながら、給湯器本体には、接続されたリモコンに対して、給湯器機能情報とリモコン機能情報とを渡す機能を持っている必要があり、また、リモコン側も受け取った情報を参照して、その中から必要な処理が選択できる機能を持った特殊なリモコンを使わなければならないため、既存の機種では対応することができず、特殊な機能を付加する必要があることからコストがかかるという問題があった。
【００１２】
本発明は、上記に鑑みてなされたものであって、異機種の給湯機本体とリモートコントローラとを接続する信号線を切断することなく、遠隔操作を可能にする給湯機用中継装置およびこれを備えた給湯機を得ることを目的とする。
【課題を解決するための手段】
【００１３】
上述した課題を解決し、目的を達成するために、本発明は、製品仕様の異なる給湯機本体とこれを遠隔操作するリモートコントローラとの間でやり取りされる制御通信信号を中継する給湯機用中継装置であって、前記給湯機本体と前記リモートコントローラとを結ぶ信号線に並列接続され、前記給湯機本体と前記リモートコントローラとの間でやり取りされる制御通信信号の送受信を行う信号送受信手段と、受信した制御通信信号を通信相手の製品仕様に対応した信号に変換する信号変換手段と、前記給湯機本体と前記リモートコントローラとの間でやり取りされる制御通信信号を信号変換する必要があるか否かを判断し、信号変換する必要がある場合は、前記信号変換手段で信号変換を行い、前記送受信手段から信号変換後の制御通信信号を前記信号線に送出する制御手段と、を備えることを特徴とする。
【発明の効果】
【００１４】
本発明によれば、異機種の給湯機本体とこれを遠隔操作するリモートコントローラとを結ぶ信号線に中継装置を並列接続することにより、中継装置が給湯機本体とリモートコントローラとの間でやり取りされる制御通信信号を受信し、通信相手の製品仕様に対応した信号に変換して信号線に再送出するため、製品仕様の異なる異機種の給湯機本体とリモートコントローラ同士でも、支障無く制御通信信号のやり取りが可能となり、信号線を切断してその間に中継装置を設置するといった設置場所や工事等の制約を低減することができるという効果を奏する。
【図面の簡単な説明】
【００１５】
【図１】図１は、本発明にかかる給湯機用中継装置とこれを備えた給湯機の実施の形態の概略構成を示すブロック図である。
【図２】図２は、図１の給湯機本体から台所リモートコントローラへ送信される制御通信信号の流れを示す図である。
【図３】図３は、制御通信信号のフォーマット構成例を示す図である。
【図４】図４は、本実施の形態において給湯機本体と台所リモートコントローラ間でやり取りされる制御通信信号の信号変換動作を説明するフローチャートである。
【発明を実施するための形態】
【００１６】
以下に、本発明にかかる給湯機用中継装置およびこれを備えた給湯機の実施の形態を図面に基づいて詳細に説明する。なお、この実施の形態によりこの発明が限定されるものではない。
【００１７】
図１は、本発明にかかる給湯機用中継装置とこれを備えた給湯機の実施の形態の概略構成を示すブロック図である。図１に示すように、本実施の形態の給湯機は、給湯機本体１０と、中継装置２０と、台所リモートコントローラ３０とを備えている。給湯機本体１０は、給湯機制御部１１と送受信部１２とを備えている。台所リモートコントローラ３０は、リモートコントローラ制御部３１と、送受信部３２と、操作スイッチ３３とを備えている。そして、給湯機用中継装置としての中継装置２０は、制御手段としての中継装置制御部２１と、信号送受信手段としての送受信部２２と、信号変換手段として、以下の３つの台所リモートコントローラ用信号変換部２３と、浴室リモートコントローラ用信号変換部２４と、給湯機本体用信号変換部２５とを備えている。３つの信号変換部２３、２４、２５は、例えば入力される種々の製品仕様コードを通信相手の製品仕様コードに変換する変換テーブルを持っている。そして、各信号変換部２３、２４、２５は、接続対象に応じて差し替えたり、テーブルメモリ内容を書き換えたりできるようにすることで、中継装置２０そのものを交換しなくても対応が可能となり、種々の製品仕様からなる接続機器にも対応することができる。
【００１８】
台所リモートコントローラ３０は、給湯温度、沸き上げ温度等を設定するための遠隔操作手段であり、内部には主要部がマイクロコンピュータで構成されたリモートコントローラ制御部３１を備えている。そして、操作スイッチ３３から入力操作を受けると、送受信部３２を介して、通信線としてのリモコン通信ケーブル４０により、給湯機本体１０内の送受信部１２を介して給湯機制御部１１に接続されているので、給湯機本体１０との間で制御通信信号をやり取りすることができる。これによって、台所リモートコントローラ３０から給湯機本体１０を遠隔操作することができる。
【００１９】
中継装置２０は、台所リモートコントローラ３０と給湯機本体１０との間のリモコン通信ケーブル４０に対して並列接続（バス接続）されており、中継装置制御部２１、送受信部２２、台所リモートコントローラ用信号変換部２３、浴室リモートコントローラ用信号変換部２４、および給湯機本体用信号変換部２５などを備えている。送受信部２２は、台所リモートコントローラ３０と給湯機本体１０との間でやり取りされる制御通信信号を受信すると、中継装置制御部２１が信号変換処理する必要のある信号か否かを判断して、信号変換処理する必要のある場合は、所定の信号変換部（２３〜２５）を使って信号変換処理を行い、変換処理後の制御通信信号を送受信部２２からリモコン通信ケーブル４０に再送出する。
【００２０】
このように、本実施の形態では、中継装置２０を給湯機１０に設置する場合、リモコン通信ケーブル４０を切断してその間に中継装置２０を設置するのではなく、リモコン通信ケーブル４０に対して中継装置２０を並列接続（バス接続）するだけで良いという特徴がある。この中継装置２は、内部の主要部がマイクロコンピュータにより構成された中継装置制御部２１を備えていて、送受信部２２を介して、給湯機本体１０と台所リモートコントローラ３０間でやり取りされる制御通信信号を受信したり、給湯機本体１０や台所リモートコントローラ３０に対して制御通信信号を送信したりする。中継装置制御部２１は、台所リモートコントローラ用信号変換部２３、浴室リモートコントローラ用信号変換部２４、および給湯機本体用信号変換部２５に対して、接続された各リモートコントローラ、および給湯機本体の機種設定情報を読み込むようにする。
【００２１】
図２は、図１の給湯機本体から台所リモートコントローラへ送信される制御通信信号の流れを示す図である。図２の中継装置２０を備えた給湯機の構成は、図１と同一部分または相当部分には同一符号を付して、重複説明を省略する。図２の給湯機の構成は、製品仕様αの給湯機本体１０と、製品仕様βの台所リモートコントローラ３０とを接続するリモコン通信ケーブル４０に、中継装置２０が並列接続（バス接続）されている。図２では、製品仕様αの給湯機本体１０から中継装置２０と、製品仕様βの台所リモートコントローラ３０とに制御通信信号を送信する場合の信号処理動作について説明する。なお、図２には示していないが、図２とは逆に台所リモートコントローラ３０から給湯機本体１０へ制御通信信号を送信する場合の信号処理動作も、図２の場合と同様に処理される。
【００２２】
図３は、制御通信信号のフォーマット構成例を示す図である。本実施の形態に係る給湯機で使用する制御通信信号５０のフォーマットの構成例は、図３に示すように、信号の通信相手の属性（給湯機本体、台所リモコン、浴室リモコン等）を表す相手属性コード５１と、相手機種の製品仕様（製品仕様α、製品仕様β等）を表す製品仕様コード５２と、通信相手に対して一定の処理（種々の情報や動作状況等を表示させる処理、情報設定処理、情報要求処理等）を要求するための命令コード５３とにより構成されている。
【００２３】
そして、図２に示すように、中継装置２０の台所リモートコントローラ用信号変換部２３と給湯機本体用信号変換部２５とは、中継装置２０の設置時に設置業者等により予め製品仕様を選択しておく。例えば、製品仕様βの台所リモートコントローラ３０が接続されていれば、台所リモートコントローラ用信号変換部２３の製品仕様は、βに設定する。また、製品仕様αの給湯機本体１０が接続されていれば、給湯機本体用信号変換部２５の製品仕様は、αに設定する。製品仕様αの給湯機本体１０から送信された台所リモートコントローラ向け製品仕様αの信号４１は、図２に示すように、台所リモートコントローラ３０と中継装置２０とで受信される。
【００２４】
図４は、本実施の形態において給湯機本体と台所リモートコントローラ間でやり取りされる制御通信信号の信号変換動作を説明するフローチャートである。ここでは、図４の（１）に示すように、給湯機本体１０から送信された制御通信信号が中継装置２０と台所リモートコントローラ３０とに送られる場合と、図４の（２）に示すように、台所リモートコントローラ３０から送信された制御通信信号が中継装置２０と給湯機本体１０とに送られる二通りの場合を示している。フローチャートは、機器毎の処理動作を示すと共に、機器動作の相互の関連性を示している。
【００２５】
まず、図４の（１）に示すように、給湯機本体１０から台所リモートコントローラ向け製品仕様αの信号４１の制御通信信号が送信され、台所リモートコントローラ３０がそれを受信する場合の動作について説明する。給湯機本体１０は、ステップＳ１００において制御通信信号をリモコン通信ケーブル４０へ送信する。すると、台所リモートコントローラ３０の送受信部３２で受信し、リモートコントローラ制御部３１は、図３に示すように、制御通信信号５０の相手属性コード５１が一致するか否かを判断する（ステップＳ３００）。この場合、相手属性コード５１は、「台所リモートコントローラ」であるので、一致する（ステップＳ３００でＹＥＳ）。
【００２６】
続いて、台所リモートコントローラ３０のリモートコントローラ制御部３１は、図３に示すように、制御通信信号５０の製品仕様コード５２が一致するか否かを判断する（ステップＳ３０１）。送られてきた制御通信信号５０の製品仕様コード５２は、給湯機本体１０の製品仕様αであるが、受信した台所リモートコントローラ３０の製品仕様がβであるため、製品仕様コードが不一致となり（ステップＳ３０１でＮＯ）、当該制御通信信号は無視される（ステップＳ３０３）。また、上記ステップＳ３００において、相手属性コードが例えば、「浴室リモートコントローラ」であって、不一致の場合の制御通信信号も同様に無視される（ステップＳ３０３）。
【００２７】
このように、相手属性コードおよび製品仕様コードの異なる制御通信信号がリモコン通信ケーブル４０に送信されたとしても、これと一致しない受信側では無視されるため、命令コードの処理は行われず、誤作動等の悪影響が出る恐れはない。
【００２８】
次に、給湯機本体１０から台所リモートコントローラ向け製品仕様αの信号４１の制御通信信号が送信され、中継装置２０がそれを受信した場合の動作について説明する。給湯機本体１０から制御通信信号をリモコン通信ケーブル４０へ送信すると、中継装置２０の送受信部２２が受信して、中継装置制御部２１において、信号変換する必要のある信号か否かを判断する（ステップＳ２００）。中継装置制御部２１において信号変換する必要のある信号か否かの判断は、例えば図２に示すように、送られてきた信号の相手属性コード（例えば、台所リモートコントローラ）に対応した、予め設置業者等により選択された製品仕様（例えば、β）と、送られてきた信号の製品仕様（例えば、α）とが異なっている場合は、信号変換する必要のある信号と判断する。また、図示していないが、送られてきた信号の相手属性コード（例えば、台所リモートコントローラ）に対応した、予め設置業者等により選択された製品仕様（例えば、β）と、送られてきた信号の製品仕様（例えば、β）とが同じ場合は、信号変換する必要のない信号と判断する。上記判断例は、一例であって、必ずしもこれに限定されない。
【００２９】
ここで、中継装置制御部２１が信号変換する必要のない信号と判断した場合は、信号変換する必要のある信号を受信するまで待機する（ステップＳ２００でＮＯ）。中継装置制御部２１は、信号変換する必要のある信号と判断すると、通信相手に応じた信号変換部（ここでは、台所リモートコントローラ用信号変換部２３）を使って、図３に示す制御通信信号５０の製品仕様コード５２を製品仕様αから、通信相手の製品仕様βに置き換える（ステップＳ２０１）。つまり、中継装置２０は、図２に示す台所リモートコントローラ向け製品仕様αの信号４１を、台所リモートコントローラ向け製品仕様βの信号４２に置き換える。
【００３０】
そして、中継装置制御部２１は、置き換え済みの制御通信信号を中継装置２０の送受信部２２を介して、リモコン通信ケーブル４０へ送信する（ステップＳ２０２）。この製品仕様αをβに置き換えた制御通信信号４２は、図２に示すように、台所リモートコントローラ３０の送受信部３２で受信される。すると、図４に示すように、台所リモートコントローラ３０のリモートコントローラ制御部３１は、制御通信信号の相手属性コードが一致すると判断し（ステップＳ３００でＹＥＳ）、また製品仕様コードも製品仕様βに置き換わっているため、これも一致すると判断する（ステップＳ３０１でＹＥＳ）。このため、台所リモートコントローラ３０のリモートコントローラ制御部３１は、置き換え済みの制御通信信号であれば受け付け可能となり、その命令コード５３（図３参照）に従って処理を実行することができる（ステップＳ３０２）。
【００３１】
上記の場合は、図４の（１）に示す給湯機本体１０から台所リモートコントローラ３０へ制御通信信号を送信する場合について説明したが、その逆方向である台所リモートコントローラ３０から給湯機本体１０へ制御通信信号を送信する場合も、図４の（２）に示すように、上記と同様の動作が行われる。
【００３２】
つまり、台所リモートコントローラ３０から給湯機本体１０に向けて送信された製品仕様βの制御通信信号は（ステップＳ１００）、給湯機本体１０側で受信されるが、相手属性コードは一致しても（ステップＳ３００）、製品仕様コードが製品仕様βであるため一致せず（ステップＳ３０１でＮＯ）、給湯機本体１０では制御通信信号が無視される（ステップＳ３０３）。
【００３３】
しかし、中継装置２０の送受信部２２で受信された製品仕様βの制御通信信号は、中継装置制御部２１において、信号変換する必要のある信号と判断されるため（ステップＳ２００）、通信相手である給湯機本体用信号変換部２５を使い、図３の制御通信信号５０の製品仕様コード５２を製品仕様βから、通信相手の製品仕様αに置き換える（ステップＳ２０１）。そして、その置き換え済みの制御通信信号をリモコン通信ケーブル４０に送信すると、給湯機本体１０側では、相手属性コードと製品仕様コードとが一致するため（ステップＳ３００、３０１でＹＥＳ）、中継装置２０で変換された制御通信信号の命令コードに従った処理を給湯機本体１０側で実行させることができる（ステップＳ３０２）。
【００３４】
以上述べたように、本実施の形態にかかる給湯機用中継装置よれば、製品仕様の異なる給湯機本体１０と台所リモートコントローラ３０とを接続する場合に、その間に中継装置２０を設置するが、設置に際してリモコン通信ケーブル４０を切断する必要はなく、リモコン通信ケーブル４０に対して並列接続（バス接続）するだけで良いため、リモコン通信ケーブル４０上のどこにでも接続することが可能なため、工事性が容易となり、設置場所の制約が大幅に低減する。
【００３５】
また、本実施の形態にかかる給湯機用中継装置よれば、中継装置２０内に制御通信信号の通信相手毎に信号変換手段としての信号変換部（台所リモートコントローラ用信号変換部２３、浴室リモートコントローラ用信号変換部２４、給湯機本体用信号変換部２５等）が設けられている。このため、中継装置制御部２１は、制御通信信号の相手属性コードに基づく信号変換部に対して信号変換処理を行わせるだけで、製品仕様の異なる機器間であっても通信を行うことができる。
【００３６】
また、中継装置２０内の信号変換手段としての信号変換部は、給湯機を構成する接続機器に応じて個別に差し替えたり、信号変換部を構成するテーブルメモリ内容を書き換えたりすることによって、中継装置２０そのものを交換する必要がないため無駄が無く、給湯機の機器構成を途中で変更しても柔軟に対応できるという利点がある。
【００３７】
また、過年度品の給湯機本体に対して、リモートコントローラを新しい型のものと交換したり、新たなリモートコントローラを追加設置したりする場合に、使用する製品仕様コードが異なっていたとしても、機器間を接続するリモコン通信ケーブル４０上に本実施の形態にかかる中継装置２０を並列接続（バス接続）するだけで良いため、リモコン通信ケーブル４０を切断する必要が無く、工事性が容易となり、設置場所の制約を大幅に低減することができる。さらに、過年度品の給湯機本体のリモートコントローラなどが故障し、新しい製品仕様のものと交換したとしても、支障なく使い続けることができるため、長期使用が可能となる。
【００３８】
なお、上記図１および図２では、給湯機本体１０を遠隔操作するリモートコントローラは、台所リモートコントローラ３０しか図示していないが、給湯機本体１０に対しリモコン通信ケーブルを介して接続された浴室リモートコントローラなどを設けることも可能である。その際、給湯機本体１０と浴室リモートコントローラとの製品仕様が異なっている場合は、上記と同様に、両者間を結ぶリモコン通信ケーブルに対して中継装置２０を並列接続するようにする。これにより、製品仕様の異なる機器同士を接続して、給湯機を構成したとしても、相互間の通信を支障無く行うことができる。
【産業上の利用可能性】
【００３９】
以上のように、本発明にかかる給湯機用中継装置および給湯機は、家庭用または業務用の給湯機用中継装置および給湯機として好適に用いることができる。
【符号の説明】
【００４０】
１０  給湯機本体
１１  給湯機制御部
１２  送受信部
２０  中継装置
２１  中継装置制御部
２２  送受信部
２３  台所リモートコントローラ用信号変換部
２４  浴室リモートコントローラ用信号変換部
２５  給湯機本体用信号変換部
３０  台所リモートコントローラ
３１  リモートコントローラ制御部
３２  送受信部
４０  リモコン通信ケーブル
４１  台所リモートコントローラ向け製品仕様αの信号
４２  台所リモートコントローラ向け製品仕様βの信号
５０  制御通信信号
５１  相手属性コード
５２  製品仕様コード
５３  命令コード
【図１】
2010271012.tif 000003
【図２】
2010271012.tif 000004
【図３】
2010271012.tif 000005
【図４】
2010271012.tif 000006